(57)【特許請求の範囲】
【請求項１】
冷却手段及び加熱手段で調整した調整空気を養生室（１）内に循環させる接ぎ木苗の養生装置において、湿度センサ（１７）の検出湿度に基づきＯＮ・ＯＦＦ制御する加湿器（１８）を設け、湿度センサ（１７）が湿度の完全飽和状態を所定時間にわたって検出し、且つ、前記加湿器（１８）が停止している場合には、前記加湿器（１８）を湿度センサ（１７）による制御からタイマによるＯＮ・ＯＦＦ制御に切り替え、前記タイマによる制御から湿度センサ（１７）による制御には自動的に復帰させない構成とすると共に、前記加湿器（１８）とは別に補助加湿器（２１）を設け、ドアーの開閉を検知する開閉センサ（２２）による開放の検出に関連して補助加湿器（２１）を所定時間にわたり作動させ、且つ照明装置（２４）のＯＮ時に補助加湿器（２１）を作動させる構成とした接ぎ木苗の養生装置。
【発明の詳細な説明】
【０００１】
【発明の属する技術分野】
この発明は、接ぎ木苗の養生装置に関するものである。
【０００２】
【従来の技術】
従来の養生室内に冷却手段及び加熱手段で調整した調整空気を循環する接ぎ木苗の養生装置における湿度制御は、加湿器をタイマあるいは湿度センサの何れかにより制御していた。
【０００３】
【発明が解決しようとする課題】
従来のタイマによる湿度制御は、日照等の関係で時間帯による格差が大きくてタイマの時間設定が難しく、また、湿度センサによる湿度制御は、湿度の飽和状態（１００％）を正確に検出できず、常時飽和状態の養生室では誤作動や、検出不良が発生しやすい等の不具合が発生していた。また、養生室のドアーを開けた際には著しく湿度が低下するという不具合があった。
【０００４】
また、接ぎ木苗の養生において、湿度が常時１００％では接ぎ木苗に対しても室内の機器に対しても悪く、そのために、加湿器で接ぎ木苗が萎れないように１００％に近い湿度に保つことは接ぎ木苗の活着のために重要である。
そこで、この発明は、簡単な制御で養生室内を完全飽和状態に近い高湿度を安定的に維持しながら、湿度の完全飽和状態を抑制し接ぎ木苗の活着を促進しようとするものである。
【０００５】
【課題を解決するための手段】
前記不具合を解決するために、請求項１の発明は、冷却手段及び加熱手段で調整した調整空気を養生室（１）内に循環させる接ぎ木苗の養生装置において、湿度センサ（１７）の検出湿度に基づきＯＮ・ＯＦＦ制御する加湿器（１８）を設け、湿度センサ（１７）が湿度の完全飽和状態を所定時間にわたって検出し、且つ、前記加湿器（１８）が停止している場合には、前記加湿器（１８）を湿度センサ（１７）による制御からタイマによるＯＮ・ＯＦＦ制御に切り替え、前記タイマによる制御から湿度センサ（１７）による制御には自動的に復帰させない構成とすると共に、前記加湿器（１８）とは別に補助加湿器（２１）を設け、ドアーの開閉を検知する開閉センサ（２２）による開放の検出に関連して補助加湿器（２１）を所定時間にわたり作動させ、且つ照明装置（２４）のＯＮ時に補助加湿器（２１）を作動させる構成とした接ぎ木苗の養生装置とする。
【０００６】
請求項１の発明では、制御開始スイッチ１９のＯＮにより制御が開始され、湿度センサ１７の検出湿度が入力され、検出湿度が完全飽和状態か否かの判定がなされる。検出湿度が完全飽和状態である場合には、次いで、完全飽和状態の検出から所定時間が経過したか否かの判定がなされ、所定時間経過している場合には、加湿器１８が作動しているか否かの判定がなされる。
【０００７】
しかして、加湿器１８が作動中の場合には、湿度センサ１７による湿度制御を継続し、加湿器１８の作動が停止している場合には、タイマによる湿度制御に切り替えられ、所定時間毎に加湿するタイマ制御を実行する。
また、開閉センサ２２によるドアーの開放の検出に関連して、補助加湿器２１を所定時間にわたり作動させる。更に、照明装置２４のＯＮ時に、補助加湿器２１を作動させる。
【０００８】
【発明の効果】
請求項１の発明は、湿度センサ１７の湿度１００％の検出と、当該検出から所定時間経過後の加湿器１８の作動停止により湿度の完全飽和状態と判定し、湿度センサ１７による湿度制御からタイマによる湿度制御に切り替え、タイマ制御から自動的に湿度センサ１７による制御に復帰させないので、湿度の完全飽和状態になりやすい設定値により湿度制御が再開されることもなく、また、開閉センサ２２によるドアーの開放の検出に関連して補助加湿器２１を所定時間にわたり作動させ、且つ照明装置２４のＯＮ時に補助加湿器２１を作動させるので、完全飽和状態に近い高湿度で養生室内を維持しながら、湿度の完全飽和状態を抑制し接ぎ木苗の活着を促進させることができる。
【０００９】
【発明の実施の形態】
以下、図１〜図３に示す接ぎ木苗養生装置の実施例の形態について説明する。
養生室１の天井部には水平方向の上部循環路２を、左右両側部には仕切板を介して左・右循環路３，３を夫れ夫れ構成し、養生室１の左右方向中央部には入口に通じる通路４を設けている。養生室１の天井部中央には、冷凍装置５、加温装置（ヒータ）６及び中央循環ファン７を設けている。
【００１０】
しかして、冷凍装置５及び加温装置６から上部循環路２の中央部に調整空気が送り出され、調整空気は中央吸引ファン７により左・右循環路３，３の上部に送られ、左・右循環ファン８，８により左・右循環路３，３の下方に導かれ、通風孔から養生室１内に向けて吹き出し室内を適正環境に維持する。
【００１１】
接ぎ木苗用の育苗トレー１０，…を載せる養生台車１２は、次のように構成されている。平面長方形状のベースフレーム１２ａの下面には複数のキャスタ１２ｂ，…を取り付け、上面には四隅及び側部中間に支柱１２ｃ，…を立設し、支柱１２ｃ，…間に略水平に梁を取り付けて、上下方向に所定間隔を隔てた棚枠１２ｄ，…を複数段構成している。この棚枠１２ｄ，…上に例えばパンチングメタル等の多孔板からなる通気性の棚板１３，…を載置している。この棚枠１２ｄ，…間には、養生室１に横方向から流入した調整空気を上側に向けて案内する反射板１４を夫れ夫れ斜設している。
【００１２】
しかして、養生室１内に横方向から流入した調整空気は養生台車１２の棚枠１２ｄ，…間に均等に流れて、反射板１４により上方の通気性の棚板１３，…に向けて案内され、更に、棚板１３，…から育苗トレー１０，…の床土部に流れて床土部を温め、接ぎ木苗の乾燥を防止しながら苗床を加温し、接ぎ木苗の養生に必要な温度を地温により確保する。なお、循環している調整空気は接ぎ木苗には多く当たらないが、反射板１４の下端部下方から流入しているので、空調空気の流れがあり、接ぎ木苗の蒸散作用を促進させる。
【００１３】
次に、図４に基づき養生室１の湿度制御装置について説明する。
養生室１で冷・暖気を調整し環境を適切な温度に維持しながら接ぎ木苗の養生をする装置において、同一方式あるいは異なる方式の加湿器を複数設けて湿度制御をしようとするものである。例えば、養生室１の中央天井部に中央加湿器１５を設けて、中央加湿器１５から養生室中央の通路７に沿って加湿する構成とし、養生室１の天井部左右両側に左・右加湿器１６，１６を配置して、左右の側壁から加湿パイプを介して内側に向けて加湿するように構成している。
【００１４】
そして、例えば、一方の中央加湿器１５を常時ＯＮして加湿し、他方の左・右加湿器１６，１６をタイマによりＯＮ・ＯＦＦ制御しながら加湿するものである。
なお、加湿方式には、遠心式、超音波式、スチーム式、ミスト式等種々のものがあるが、これらの方式から適宜選択して同一方式のもの、あるいは、異なる方式のものを複数の加湿器に採用するものである。
【００１５】
従来の養生室の加湿制御は、加湿器をタイマあるいは湿度センサの何れかにより制御していた。しかし、タイマによる制御は、日照等の関係で時間帯による格差が大きく時間設定が難しく、また、湿度センサによる制御は、湿度の完全飽和状態（１００％）を正確に検出できず、常時飽和状態の空間では誤作動や、検出不良が発生しやすい等の不具合が発生していた。
【００１６】
また、接ぎ木苗の養生において、湿度が常時１００％では接ぎ木苗に対しても室内の機器に対しても悪く、そのために、加湿器により完全飽和状態に近い高湿度で接ぎ木苗が萎れない程度に加湿しておく必要がある。また、養生中の接ぎ木苗は穂木部と台木部が繋がっていないため、穂木部では根からの水分吸収はほとんどできなく、穂木部では葉部からの水分吸収により生きているのが実状である。従って、葉部への１００％近い加湿は、根部から水分を吸収しようとする力、即ち活着しようとする力の妨げとなる。このような事情から養生室を１００％に近い湿度に保つことは接ぎ木苗の活着のために重要である。
【００１７】
しかして、この実施例では、例えば、所定容量の中央加湿器１５を常時作動して加湿し、養生室１内の湿度を例えば９０％程度になるように維持し、他方の左・右加湿器１６，１６は例えばミストにより散水する方式として、タイマによりＯＮ・ＯＦＦ制御をし湿度の完全飽和状態を防止しながら高湿度を維持するものである。従って、簡単な制御でありながら養生室１内を高湿度で安定的に維持し、湿度の完全飽和状態を抑制しながら接ぎ木苗の活着を促進させることができる。
【００１８】
なお、タイマで加湿器を制御するにあたり、所定時間毎に加湿能力を増減しながら加湿してもよく、また、タイマに代えて加湿センサで養生室１内の湿度を検出しＯＮ・ＯＦＦする制御方式としてもよい。
なお、単一の加湿器で常時は所定量づつ加湿し、所定時間毎に増量して加湿する構成としてもよい。
【００１９】
次に、図５及び図６に基づき湿度制御の他の実施例を説明する。
湿度センサ１７の検出湿度により加湿器１８を制御する接ぎ木苗養生室の湿度制御装置において、湿度センサ１７が所定時間（例えば１時間）にわたり湿度１００％の完全飽和状態を検出し、且つ、加湿器１８の作動が停止している場合には、設定湿度値に基づく湿度センサ１７の制御からタイマによる加湿器１８の制御に切り替えるものである。
【００２０】
図５に示すように、制御開始スイッチ１９及び湿度センサ１７を入力インターフェイスを経由して制御部２０に接続され、制御部２０から出力インターフェイスを経て加湿器１８に駆動指令が出力される構成である。
図６に示すように、制御開始スイッチ１９の入力の有無が判断され、スイッチが入力されていると制御が開始され、湿度センサ１７の検出値が入力され、検出湿度が完全飽和状態か否か判定される。湿度が完全飽和状態であると、次いで、完全飽和状態検出から所定時間経過したか否かの判定がなされ、所定時間経過している場合には、加湿器１８が作動しているか否かの判定がなされる。
【００２１】
しかして、加湿器１８が作動中である場合には、湿度センサ１７による湿度制御を継続し、加湿器１８の作動が停止している場合には、タイマによる湿度制御に移行して所定時間毎に加湿すると共に、完全飽和状態の警報を発する。次いで、制御開始スイッチ１９が切りか否かの判定がなされ、スイッチ切りでなければタイマ制御を継続し、スイッチ切りの場合にはタイマによる制御を中止し初期行程に復帰する。
【００２２】
この実施例では、湿度の完全飽和状態の判定方法として、湿度センサ１７の湿度１００％の完全飽和状態の検出と、完全飽和状態の検出から所定時間経過時における加湿器１８の作動停止を条件として、湿度センサ１７による湿度制御からタイマによる湿度制御に切り替え、ブザーやランプ等の警報装置によりオペレータに報知し、タイマ制御に移行した後は制御開始スイッチ１９がＯＮの間は自動的に湿度センサ１７による制御には復帰しない構成にしている。
【００２３】
従って、タイマ制御から自動的に湿度センサ１７による制御に復帰すると、前回の完全飽和状態になりやすい設定値により湿度制御が再開され、比較的短時間で完全飽和状態になるようなことがあるが、このような不具合を防止し接ぎ木苗の萎れを防止しながら活着の促進を図ることができる。
【００２４】
なお、湿度センサ１７による設定湿度を再度設定し完全飽和状態になりにくい設定値に変更されたときにのみ、前記タイマ制御から湿度センサ１７による加湿制御に復帰できる構成としてもよい。
次に、図７に基づき養生室の湿度制御の他の実施例を説明する。
【００２５】
養生室１の湿度制御装置において、湿度センサ１７の検出湿度に基づき加湿器１８の制御を常時実行しながら、前記加湿器１８とは別に補助加湿器２１を設けて、養生室１のドアーの開閉を検知する開閉センサ２２の開放検出に関連して補助加湿器２１を所定時間にわたり加湿作動するものである。
【００２６】
従来の養生室１の湿度制御装置にあっては、湿度センサ１７の検出湿度に基づき加湿器１８の制御をし、平常時には一定の湿度に保持できる。しかし、例えば、養生室のドアーを開けた際には著しく湿度が低下するという不具合があった。
しかして、この実施例では、ドアーの開閉に際しては、例えば、ドアーの開放時には、補助加湿器２１を常時加湿し、ドアーが閉じても所定時間（例えば５分）にわたり加湿を継続するように制御するものであり、前記不具合を解消することができる。
【００２７】
また、養生室１の冷凍装置を温度センサにより空調制御する装置において、冷凍装置の駆動停止に関連させて、冷凍装置５の駆動時には補助加湿器２１を同期して駆動するようにすると、前記と同様の効果が期待できる。
また、養生室１の照明装置のＯＮ・ＯＦＦの際に、照明装置のＯＮ時には補助加湿器２１で加湿し、照明装置がＯＦＦになっても例えば３０分にわたり加湿を継続するように制御をすると、前記と同様の効果が期待できる。
【００２８】
次に、図８に基づき養生台車１２の他の実施例について説明する。
養生台車１２の接ぎ木苗を載置する棚枠１２ｄ，…を、側壁の照明装置２４に対して水平方向から所定角度、例えば、５〜１５度程度傾斜させて構成している。しかして、照明装置２４から離れた接ぎ木苗にも均等に照射することができる。
【００２９】
次に、図９〜図１３に基づき接ぎ木苗の照明装置２４について説明する。
養生室１には入口２５に沿うように中央部に前後方向の通路７を設け、通路７の左右側方を養生台車１２の配置される養生スペース２６としている。この養生スペース２６には通路７に直交するように複数の照明装置２４，…を配置し、照明装置２４，…により養生台車１２の前後両側から照明し、養生室１の天井部には照明装置を設けない構成としている。
【００３０】
この照明装置２４，…は、所定の幅と高さを持った照明枠体２４ａと、照明枠体２４ａに例えば上下方向に所定間隔置きに配置された照明具２４ｂ，…と、照明具２４ｂ，…を被覆するアクリル板等のカバー２４ｃにより構成されている。そして、照明装置２４のカバー２４ｃにおける養生台車１２の進入する中央側端部にはガイドレール２７を設けて、カバー２４ｃの破損を防止する構成としている。
【００３１】
従来装置には養生台車に直接照明装置を設けるものもあるが、養生台車の運搬時に照明装置が破損する危険性や、配線接続上の不便や、照明装置の熱から接ぎ木苗を守るために、養生台車の棚面を広くしなければならず、養生台車が大形化するというような問題点があった。
【００３２】
しかし、前記のように養生台車１２の接ぎ木苗には養生スペース２６に位置している照明装置２４，…により前後両側から照明するので、通路７に照明装置２４を設置する必要がなく、養生台車１２の搬入搬出の作業性が向上し、養生台車１２の配線接続等の煩わしさも解消することができる。
【００３３】
次に、図１４〜図１７に基づき接ぎ木苗の照明装置２４の他の実施例について説明する。
養生室１には入口２５に沿うように中央部に前後方向の通路７を設け、通路７の左右両側を養生台車１２の配置される養生スペース２６としている。この通路７には通路に沿って往復動自在に多数複数の中央照明装置２８，…を配置し、また、養生室１の左・右側壁に左・右照明装置２９，…を配置し、天井には上照明装置２９を設けている。
【００３４】
中央照明装置２８，…は、柱状の照明枠体２８ａと、照明枠体２８ａの底部に取り付けているキャスター２８ｂと、照明枠体２４ａに沿って上下方向に取り付けられている照明具２８ｃ，…により構成されている。そして、天井に通路７の方向に沿って設けられているスライドレール３０に、中央照明装置２８，…の上端部が移動自在に装着されていて、スライドレール３０上部のランナーフレックス３１内に配線装置を納めて、配線装置も中央照明装置２８，…に従って移動する構成である。
【００３５】
しかし、養生台車１２を養生スペース２６に搬入した状態では、図１５に示すように、中央照明装置２８，…の間隔を広げて通路７全体から左右方向に照明できるようにし、中央照明装置２８，…、左・右照明装置２９，…及び上照明装置２９から養生台車１２，…の接ぎ木苗に均等に照明する。
【００３６】
また、養生台車１２，…を搬入・搬出する場合には、図１６に示すように、中央照明装置２８，…をガイドレール２７に沿って入口２５から遠ざかる方向に移動し、通路７の入口２５側に広いスペースを形成できるので、養生台車１２の搬入搬出作業の能率が向上し、中央照明装置２８，…の移動時には上部に設けられている配線装置も移動し配線接続の煩わしさも解消される。
【図面の簡単な説明】
【図１】養生室の切断正面図
【図２】養生室の切断側面図
【図３】養生室の切断平面図
【図４】要部の切断正面図
【図５】ブロック図
【図６】フローチャート
【図７】ブロック図
【図８】要部の側面図
【図９】切断正面図
【図１０】切断平面図
【図１１】切断側面図
【図１２】要部の側面図、正面図、平面図
【図１３】要部の切断平面図
【図１４】切断正面図
【図１５】切断平面図
【図１６】切断平面図
【図１７】要部の正面図、側面図
【符号の説明】
１  養生室
２  上部循環路
３  左・右循環路
４  通路
５  冷凍装置
６  加温装置
７  中央循環ファン
８  左・右循環ファン
１２  養生台車
１７  湿度センサ
１８  加湿器
１９  湿度センサ
【図１】
0003823829.tif 000002
【図２】
0003823829.tif 000003
【図３】
0003823829.tif 000004
【図４】
0003823829.tif 000005
【図５】
0003823829.tif 000006
【図６】
0003823829.tif 000007
【図７】
0003823829.tif 000008
【図８】
0003823829.tif 000009
【図９】
0003823829.tif 000010
【図１０】
0003823829.tif 000011
【図１１】
0003823829.tif 000012
【図１２】
0003823829.tif 000013
【図１３】
0003823829.tif 000014
【図１４】
0003823829.tif 000015
【図１５】
0003823829.tif 000016
【図１６】
0003823829.tif 000017
【図１７】
0003823829.tif 000018